(57)【要約】【課題】複数サイズのハンガーを準備することなく様々なサイズの下半身用衣料を見栄え良く吊持することができる下半身用衣料のハンガーを提供する。【解決手段】この下半身用衣料のハンガーは、各押さえ片３２，４２の一端側に対して他端側が本体フレーム１０の長手方向と略直交する方向に弾性変形可能であり、その弾性により下半身用衣料の腰ゴム部が本体フレーム１０の短手方向に挟持される。このため、支持片３１，４１及び押さえ片３２，４２の各対が本体フレーム１０の何れの位置に設けられても、挟持位置近傍の腰ゴム部やその近傍の下半身用衣料の生地が概して本体フレーム１０の長手方向に延在する状態となる。この状況は、吊持する下半身用衣料のサイズによらない。【選択図】図１
0003190221.tif 000002
【実用新案登録請求の範囲】
【請求項１】
長手方向の両端部よりも中央部が下方に位置する本体フレームと、
前記本体フレームの長手方向の中央部の上方に位置するフック部と、
前記本体フレームに設けられたクリップ部とを備え、
前記クリップ部は、上下方向に延在すると共に上下方向の一端側が前記本体フレームに連結されるように前記本体フレームと一体に型成形された支持片と、上下方向に延在すると共に上下方向の一端側が前記本体フレーム又は前記支持片の他端側に連結されるように前記本体フレーム及び前記支持片と一体に型成形された押さえ片とを有し、
前記押さえ片の他端側は一端側に対して前記本体フレームの長手方向と略直交する方向に弾性変形可能であり、
前記押さえ片は、その他端側が前記支持片から離れるように弾性変形した状態で前記支持片と前記押さえ片との間に挿入される下半身用衣料の腰ゴム部を、前記弾性変形に対する復元力により、前記支持片との間に前記長手方向と略直交する方向に挟持するように形成され、これにより前記下半身用衣料の吊持を行う下半身用衣料のハンガー。
【請求項２】
前記本体フレームの長手方向の中央部に前記クリップ部として中央クリップ部が設けられている請求項１に記載の下半身用衣料のハンガー。
【請求項３】
前記本体フレームの長手方向の中央部に前記クリップ部として中央クリップ部が設けられ、前記本体フレームの長手方向の両端側にそれぞれ前記クリップ部として一対の端側クリップ部が設けられている請求項１に記載の下半身用衣料のハンガー。
【請求項４】
前記本体フレームの長手方向の両端側にそれぞれ前記クリップ部として端側クリップ部が設けられている請求項１に記載の下半身用衣料のハンガー。
【請求項５】
前記中央クリップ部の支持片は、その下端側が前記本体フレームに連結されるように前記本体フレームと一体に型成形され、前記中央クリップ部の押さえ片は、その上端側が前記支持片の上端側に連結されるように前記本体フレーム及び前記支持片と一体に型成形されている請求項２又は３に記載の下半身用衣料のハンガー。
【請求項６】
前記端側クリップ部の支持片は、その上端側が前記本体フレームに連結されるように前記本体フレームと一体に型成形され、前記端側クリップ部の押さえ片は、その上端側が前記本体フレームに連結されるように前記本体フレームと一体に型成形されている請求項３又は４に記載の下半身用衣料のハンガー。
【請求項７】
前記フック部は前記中央クリップ部を介して前記本体フレームに連結されている請求項２、３及び５の何れかに記載の下半身用衣料のハンガー。
【請求項８】
前記本体フレームの中央部とフック部との位置関係が上下方向であり、本体フレームの長手方向と直交し且つ前記上下方向と直交する方向を前後方向とした際に、前記中央クリップ部の前記押さえ片が前記支持片よりも後方に位置し、前記端側クリップ部の前記押さえ片が前記支持片よりも前方に位置する請求項３に記載の下半身用衣料のハンガー。
【請求項９】
前記端側クリップ部の前記支持片及び押さえ片はそれぞれ上端側が前記本体フレームに連結されており、
前記端側クリップ部の前記支持片の下端は前記押さえ片の下端よりも下方に位置する請求項３、４及び８の何れかに記載の下半身用衣料のハンガー。
【請求項１０】
前記中央クリップ部は、前記支持片の下端側が前記本体フレームに連結されると共に、前記押さえ片の上端側が前記支持片の上端側に連結されており、
前記中央クリップ部の前記押さえ片の下端は前記本体フレームの中央部の下端よりも上方に位置する請求項２、３及び８の何れかに記載の下半身用衣料のハンガー。
【請求項１１】
前記中央クリップ部の前記支持片の一端に前方に向かって傾斜する傾斜面が形成されている請求項８に記載の下半身用衣料のハンガー。
【請求項１２】
前記端側クリップ部の前記支持片の他端に後方に向かって傾斜する傾斜面が形成されている請求項８に記載の下半身用衣料のハンガー。
【請求項１３】
前記本体フレームの長手方向の中央部における背面に凹部が形成され、該凹部の底面は前記中央クリップ部の支持片の背面よりも前方に位置し、該凹部には前記中央クリップ部の支持片の前記傾斜面と滑らかに繋がる傾斜面が設けられている請求項１１に記載の下半身用衣料のハンガー。
【請求項１４】
前記本体フレームの両端側にそれぞれ設けられた一対の予備押さえ片をさらに備え、
各予備押さえ片は、上下方向に延在すると共に上下方向の一端側が前記本体フレームに連結されるように前記本体フレームと一体に型成形されると共に、他端側が一端側に対して前記本体フレームの長手方向と略直交する方向に弾性変形可能であり、
前記各予備押さえ片は前記端側クリップ部よりも本体フレームの長手方向の中央側に位置している請求項１〜１３の何れかに記載の下半身用衣料のハンガー。
【請求項１５】
前記各予備押さえ片と、対応する端側クリップ部との距離は５〜５０ｍｍである請求項１４に記載の下半身用衣料のハンガー。
【請求項１６】
前記中央クリップ部において、前記支持片は前記押さえ片よりも前記長手方向の寸法が大きく、前記支持片にはそれを前後方向に挿通する孔が形成され、無負荷状態で前記押さえ片の他端の一部が前記支持片の前記孔の中に配置されている請求項２、３及び８の何れかに記載の下半身用衣料のハンガー。
【請求項１７】
前記中央クリップ部において、前記支持片は前記押さえ片よりも前記長手方向の寸法が大きく、前記支持片にはそれを前後方向に挿通する孔が形成され、無負荷状態で前記押さえ片の他端の一部が前記支持片の前記孔の中に配置されている請求項３、４及び８の何れかに記載の下半身用衣料のハンガー。
【考案の詳細な説明】
【技術分野】
【０００１】
本考案は、下着、水着、スカート、ズボン等の下半身用衣料の腰ゴム部を保持することによりその吊持を行う下半身用衣料のハンガーに関する。
【背景技術】
【０００２】
近年、下着、水着、スカート、ズボン等の下半身用衣料を販売する販売店において、販売する下半身用衣料を見栄え良く吊持する衣料用ハンガーが用いられている。例えば、長手方向の両端部よりも中央部が下方に位置するように弓型に湾曲した本体フレームと、本体フレームの中央部の上方に位置するように本体フレームに連結されたフック部と、本体フレームの両端からそれぞれ下方に延びる支持片と、前記支持片よりも前記長手方向の外側に配置されると共に前記支持片に前記長手方向に対向するように本体フレームの両端からそれぞれ下方に延びる押さえ片とを有し、各支持片間の距離が少し縮まるように本体フレームが少し撓むと共に、トランクスの幅方向両端部における腰ゴム部に内側から各支持片が当接し、各支持片と対向する押さえ片により腰ゴム部が挟持されることにより、下着が吊持される下半身用衣料のハンガーが知られている（例えば、特許文献１参照。）。
【先行技術文献】
【特許文献】
【０００３】
【特許文献１】意匠登録第１３３５９３０号公報
【考案の概要】
【考案が解決しようとする課題】
【０００４】
前記ハンガーは、本体フレームが各支持片間の距離が縮まるように撓むことにより、吊持するトランクス等の下着の幅方向両端部における腰ゴム部にその内側から前記長手方向に広がる方向の力を与え、これにより、吊持する下着の幅方向の中央側が吊持時に下方に弛まないようにし、下着を見栄え良く吊持している。
【０００５】
しかし、吊持する下着のサイズは様々であり、サイズが大きい下着の場合は、各支持片及び各押さえ片によって下着の幅方向両端部の腰ゴム部を把持した際に、各支持片間の距離が縮まるように本体フレームが撓まず、各支持片間の腰ゴム部に張力が加わらない。このため、吊持した下着の幅方向中央側の腰ゴム部が下方に弛み易く、吊持した下着の見栄えが悪くなる。これは、腰ゴム部が下着の幅方向両端の２点で本体フレームの長手方向に挟まれており、本体フレームの短手方向の側面の何れの部分も腰ゴム部を支持していないことが原因の１つであると考えられる。
【０００６】
上記の現象に対し、本体フレームの長さが異なる複数サイズのハンガーを準備し、様々なサイズの下着に対応することも考えられる。しかし、複数サイズのハンガーを準備すると店舗が所持するハンガーの数が増え、また、ハンガーの準備コストが高くなる。
【０００７】
本考案は、このような事情に鑑みてなされたものであって、複数サイズのハンガーを準備することなく様々なサイズの下半身用衣料を見栄え良く吊持することができる下半身用衣料のハンガーを提供することにある。
【課題を解決するための手段】
【０００８】
上記課題を解決するために、本考案は以下の手段を採用する。
本考案の第１の態様に係る下半身用衣料のハンガーは、長手方向の両端部よりも中央部が下方に位置する本体フレームと、前記本体フレームの長手方向の中央部の上方に位置するフック部と、前記本体フレームに設けられたクリップ部とを備え、前記クリップ部は、上下方向に延在すると共に上下方向の一端側が前記本体フレームに連結されるように前記本体フレームと一体に型成形された支持片と、上下方向に延在すると共に上下方向の一端側が前記本体フレーム又は前記支持片の他端側に連結されるように前記本体フレーム及び前記支持片と一体に型成形された押さえ片とを有し、前記支持片及び前記押さえ片の他端側は一端側に対して前記本体フレームの長手方向と略直交する方向に弾性変形可能であり、前記押さえ片は、その他端側が前記支持片から離れるように弾性変形した状態で前記支持片と前記押さえ片との間に挿入される下半身用衣料の腰ゴム部を、前記弾性変形に対する復元力により、前記支持片との間に前記長手方向と略直交する方向に挟持するように形成され、これにより前記下半身用衣料の吊持を行う。
【０００９】
この態様によれば、押さえ片の他端側が一端側に対して本体フレームの長手方向と略直交する方向に弾性変形可能であり、前記押さえ片の他端側を前記支持片から離れるように且つ本体フレームの長手方向と略直交する方向に弾性変形させながら、支持片と押さえ片との間に下半身用衣料の腰ゴム部を挿入することにより、前記弾性変形に対する復元力で挿入された腰ゴム部が挟持される。つまり、腰ゴム部が本体フレームの短手方向に挟持される。
このため、支持片及び押さえ片の対が本体フレームの何れの位置に設けられても、挟持位置近傍の腰ゴム部やその近傍の下半身用衣料の生地が概して本体フレームの長手方向に延在する状態となる。この状況は、吊持する下半身用衣料のサイズによらない。
【００１０】
例えば、支持片及び押さえ片の対が本体フレームの長手方向の両端部近傍にそれぞれ設けられており、吊持される下半身用衣料のサイズが小さい場合は、該衣料の幅方向両端近傍の腰ゴム部を挟持し、吊持される下半身用衣料のサイズが大きい場合は、該衣料の幅方向の中央と両端との間の腰ゴム部を挟持すると共に、該衣料の幅方向の両端側を本体フレームの長手方向の中央側に向かって折り返し、折り返した該衣料の腰ゴム部を支持片及び押さえ片の対や他の部材で支持することができる。つまり、腰ゴム部が弛まないように２対の挟持部（支持片及び押さえ片の対）の間の腰ゴム部の長さを調整しながら、支持片及び押さえ片の各対により腰ゴム部を挟持することにより、様々なサイズの下半身用衣料をその幅方向中央部で腰ゴム部が弛まないように吊持することができる。
【００１１】
また、支持片及び押さえ片によって挟持される腰ゴム部やその近傍の下半身用衣料の生地が概して本体フレームの長手方向に延在するので、挟持する下半身用衣料が本体フレームの短手方向に嵩張らない。逆に、本体フレームの長手方向の両端に該長手方向に対向する支持片及び押さえ片の対が設けられる場合、挟持位置近傍の腰ゴム部やその近傍の下半身用衣料の生地が概して本体フレームの長手方向と直交する方向に延在することになり、挟持する下半身用衣料が本体フレームの短手方向に嵩張る。
【００１２】
また、支持片及び押さえ片の対が本体フレームの長手方向の中央部に設けられている場合は、何れのサイズの下半身用衣料を吊持する場合であっても、その幅方向中央部の腰ゴム部を直接挟持することができ、様々なサイズの下半身用衣料をその幅方向中央部で腰ゴム部が弛まないように吊持することができる。この場合も、挟持される腰ゴム部やその近傍の下半身用衣料の生地が概して本体フレームの長手方向に延在するので、挟持する下半身用衣料が本体フレームの短手方向に嵩張らない。
【００１３】
本考案の第２の態様に係る下半身用衣料のハンガーは、本体フレームが長手方向の両端部よりも中央部が下方に位置するように形成され、本体フレームの長手方向の中央部に前記クリップ部として中央クリップ部が設けられ、中央クリップ部の支持片は下端側が本体フレームに連結され、押さえ片は上端側が支持片の上端側に連結されている。
このため、下半身用衣料の腰ゴム部を中央クリップ部によって挟持すると、下半身用衣料によって本体フレームの中央側が確実に覆われ、中央フレームの中央側が見えない分だけ下半身用衣料を見栄え良く吊持することができる。
【００１４】
本考案の第３の態様に係る下半身用衣料のハンガーは、本体フレームが長手方向の両端部よりも中央部が下方に位置するように形成され、本体フレームの長手方向の両端側にそれぞれ前記クリップ部として端側クリップ部が設けられ、各端側クリップ部の支持片は、その上端側が本体フレームに連結され、各端側クリップ部の押さえ片は、その上端側が本体フレームに連結されている。
このため、下半身用衣料の腰ゴム部を各端側クリップ部によって挟持する際に、腰ゴム部を本体フレームの下側から取付けることができ、腰ゴム部の各端側クリップ部への取付けを容易に行うことができる。このように取付けを容易にしながら、本体フレームが長手方向の両端部よりも中央部が下方に位置するように形成されているので、下半身用衣料によって本体フレームの中央側が覆われ、中央フレームの中央側が見えない分だけ下半身用衣料を見栄え良く吊持することができる。
【００１５】
本考案の第４の態様に係る下半身用衣料のハンガーでは、フック部は中央クリップ部を介して本体フレームに連結されている。このため、フック部を本体フレームに連結するために他のフレームや部材を設ける必要が無く、ハンガーの構成の簡素化、軽量化、製造に使用する材料の低減、及び製造コストの低減等を図ることが可能である。
【００１６】
本考案の第５の態様に係る下半身用衣料のハンガーでは、前記本体フレームの中央部とフック部との位置関係が上下方向であり、本体フレームの長手方向と直交し且つ前記上下方向と直交する方向を前後方向とした際に、中央クリップ部の押さえ片が支持片よりも後方に位置し、端側クリップ部の押さえ片が支持片よりも前方に位置する。つまり、中央クリップ部と端側クリップ部とで押さえ片と支持片の前後方向の位置関係が逆になっている。このため、中央クリップ部と端側クリップ部とで押さえ片と支持片の前後方向の位置関係が同じである場合と比較し、下半身用衣料と本体フレームとが接触し易くなり、本体フレームに下半身用衣料が接触する分だけ下半身用衣料の本体フレームに対する位置ずれが生じ難くなる。
【００１７】
本考案の第６の態様に係る下半身用衣料のハンガーでは、中央クリップ部は、支持片の下端側が本体フレームに連結されると共に、押さえ片の上端側が支持片の上端側に連結されており、中央クリップ部の押さえ片の下端は本体フレームの中央部の下端よりも上方に位置する。
押さえ片よりも本体フレームの方がその長手方向の寸法が大きいので、押さえ片と支持片との間に腰ゴム部を挿入する際に、先ず腰ゴム部を本体フレームに押し当てる方が作業をし易い。ここで、押さえ片の下端は本体フレームの中央部の下端よりも上方に位置するので、腰ゴム部を本体フレームに押し当て易くなっており、腰ゴム部の挿入作業をより容易に行うことができる。
【００１８】
本考案の第７の態様に係る下半身用衣料のハンガーでは、中央クリップ部の支持片の下端に前方に向かって傾斜する傾斜面が形成されており、中央クリップ部の押さえ片が支持片よりも後方に位置するので、押さえ片と支持片との間に腰ゴム部を挿入する際に、その挿入作業をスムーズに行うことができる。
【００１９】
本考案の第８の態様に係る下半身用衣料のハンガーでは、端側クリップ部の支持片の下端に後方に向かって傾斜する傾斜面が形成されており、端側クリップ部の押さえ片が支持片よりも前方に位置するので、押さえ片と支持片との間に腰ゴム部を挿入する際に、その挿入作業をスムーズに行うことができる。
【００２０】
本考案の第９の態様に係る下半身用衣料のハンガーでは、本体フレームの長手方向の中央部における背面に凹部が形成され、該凹部の底面は中央クリップ部の支持片の背面よりも前方に位置し、該凹部には中央クリップ部の支持片の傾斜面と滑らかに繋がる傾斜面が設けられている。
このため、押さえ片と支持片との間に腰ゴム部を挿入する前の段階で、凹部がある分だけ押さえ片に対して腰ゴム部をより前方に位置させることができ、押さえ片と支持片との間に腰ゴム部を挿入する作業をよりスムーズに行うことができる。
【００２１】
本考案の第１０の態様に係る下半身用衣料のハンガーでは、本体フレームの両端側にそれぞれ設けられた一対の予備押さえ片をさらに備え、各予備押さえ片は、上下方向に延在すると共に上下方向の一端側が本体フレームに連結されるように本体フレームと一体に型成形されると共に、他端側が一端側に対して本体フレームの長手方向と略直交する方向に弾性変形可能であり、各予備押さえ片は端側クリップ部よりも本体フレームの長手方向の中央側に位置している。
このため、吊持される下半身用衣料のサイズが大きい場合は、該衣料の幅方向の中央と両端との間の腰ゴム部を支持片及び押さえ片の各対により挟持すると共に、該衣料の幅方向の両端側を本体フレームの長手方向の中央側に向かって折り返し、折り返した該衣料の両端側の腰ゴム部を各予備押さえ片によって支持することができる。このため、吊持する下半身用衣料の見栄えをより向上することができる。
【００２２】
本考案の第１１の態様に係る下半身用衣料のハンガーでは、各予備押さえ片と、対応する端側クリップ部との距離は５〜５０ｍｍである。各予備押さえ片は、一対の端側クリップ部の間に張られた腰ゴム部と各予備押さえ片との間に、折り返した腰ゴム部を挟持するものであるので、対応する端側クリップ部との距離が近く、具体的に５〜５０ｍｍであることにより、一対の端側クリップ部の間に張られた腰ゴム部と各予備押さえ片との間に確実に折り返した腰ゴム部を挟持することができる。
【００２３】
本考案の第１２の態様に係る下半身用衣料のハンガーでは、各支持片は対応する押さえ片よりも本体フレームの長手方向の寸法が大きく、各支持片にはそれを前後方向に挿通する孔が形成され、無負荷状態で押さえ片の弾性変形する側の端の一部が支持片の孔の中に配置されている。このため、支持片と押さえ片の各対による把持力を長期に亘って維持することができる。
【考案の効果】
【００２４】
本考案によれば、複数サイズのハンガーを準備することなく様々なサイズの下半身用衣料を見栄え良く吊持することができる。
【図面の簡単な説明】
【００２５】
【図１】本考案の一実施形態に係るハンガーの正面側斜視図である。
【図２】図１のハンガーの背面側斜視図である。
【図３】図１のハンガーの正面図である。
【図４】図１のハンガーの背面図である。
【図５】図１のハンガーの右側側面図である。
【図６】図１のハンガーの左側側面図である。
【図７】図１のハンガーの平面図である。
【図８】図１のハンガーの底面図である。
【図９】図３におけるＡ−Ａ線断面図である。
【図１０】図３におけるＢ−Ｂ線断面図である。
【図１１】図３におけるＣ−Ｃ線断面図である。
【図１２】図３におけるＤ−Ｄ線断面図である。
【図１３】図３におけるＥ−Ｅ線断面図である。
【図１４】図３におけるＦ−Ｆ線断面図である。
【図１５】図１のハンガーの使用状態を示す正面図である。
【図１６】図１のハンガーの使用状態を示す背面図である。
【図１７】図１のハンガーの使用状態を示す正面図である。
【図１８】図１のハンガーの使用状態を示す背面図である。
【図１９】図１のハンガーの使用状態を示す平面図である。
【図２０】図１のハンガーに腰ゴム部を装着する際の動作説明図である。
【図２１】図１のハンガーに腰ゴム部を装着する際の動作説明図である。
【考案を実施するための形態】
【００２６】
本考案の一実施形態に係る下半身用衣料のハンガーについて図面を参照して以下に説明する。
この下半身用衣料のハンガーは、図１〜１４に示すように、長手方向の両端部よりも中央部が下方に位置するように形成された本体フレーム１０と、本体フレーム１０の長手方向の中央部の上方に位置し被係合部に係合するフック部２０と、本体フレーム１０の長手方向の中央部に設けられた中央クリップ部３０と、本体フレーム１０の長手方向の両端側にそれぞれ設けられた一対の端側クリップ部４０とを有する。フック部２０は中央クリップ部３０を介して本体フレーム１０の長手方向の中央部に連結されている。
本実施形態では、本体フレーム１０の中央部とフック部２０と位置関係が上下方向であり、本体フレーム１０の長手方向と直交し且つ前記上下方向と直交する方向（図３の紙面厚さ方向）を前後方向と称する。
【００２７】
中央クリップ部３０は、上下方向に延在すると共に下端が本体フレーム１０に連結されるように本体フレーム１０と一体に型成形された支持片３１と、上下方向に延在すると共に上端が支持片３１の他端に連結されるように本体フレーム１０及び支持片３１と一体に型成形された押さえ片３２とを有する。
【００２８】
各端側クリップ部４０は、上下方向に延在すると共に上端が本体フレーム１０に連結されるように本体フレーム１０と一体に型成形された支持片４１と、上下方向に延在すると共に上端が本体フレーム１０に連結されるように本体フレーム１０と一体に型成形された押さえ片４２とを有する。
【００２９】
本体フレーム１０、フック部２０及び各クリップ部３０，４０はプラスチック材料から成り、型成形により一体に成形されている。このため、支持片３１の上端側は下端側に対して前後方向に弾性変形可能であり、押さえ片３２の下端側は上端側に対して前後方向に弾性変形可能であり、支持片４１及び押さえ片４２の本体フレーム１０に連結されていない下端側も前後方向に弾性変形可能である。
【００３０】
支持片３１は押さえ片３２よりも本体フレーム１０の長手方向に大きな寸法を有し、支持片４１は押さえ片４２よりも本体フレーム１０の長手方向に大きな寸法を有する。支持片３１の下端は押さえ片３２の下端よりも下方に位置し、各支持片４１の下端は対応する押さえ片４２の下端よりも下方に位置する。また、各支持片３１，４１には各支持片３１，４１を前後方向に挿通する孔３１ｂ，４１ｂが形成され、図９、１１及び１３に示すように、無負荷状態で押さえ片３２の下端の一部が支持片３１の孔３１ｂの中に配置され、無負荷状態で押さえ片４２の下端の一部が支持片４１の孔４１ｂの中に配置されている。図９では、押さえ片３２の下端の一部が支持片３１の孔３１ｂの中にわずかに入り込んでいる。
【００３１】
押さえ片３２は支持片３１よりも前後方向における後方に位置し、各押さえ片４２は対応する支持片４１よりも前後方向における前方に位置する。つまり、支持片に対する押さえ片の前後方向の位置は中央クリップ部３０と端側クリップ部４０とでは逆になっている。また、支持片３１の前後方向における背面には凹凸部３１ａが形成され、押さえ片３２の前後方向における前面には凹凸部３２ａが形成されている。支持片４１の前後方向における前面には凹凸部４１ａが形成され、押さえ片４２の前後方向における背面には凹凸部４２ａが形成されている。
【００３２】
支持片３１の背面における下端には前方に向かって傾斜する傾斜面３１ｃが形成されており、支持片４１の前面における下端には後方に向かって傾斜する傾斜面４１ｃが形成されている。また、本体フレーム１０の中央部における前後方向の背面には凹部１１が形成されている。凹部１１は支持片４１の下方に配置され、凹部１１の底面１１ａは支持片４１の背面よりも前方に位置している。また、凹部１１には支持片４１の傾斜面４１ｃと滑らかに繋がる傾斜面１１ｂが設けられている。
【００３３】
このハンガーには、図１〜４に示すように、本体フレーム１０の両端側にそれぞれ設けられた一対の予備押さえ片５０を有する。各予備押さえ片５０はプラスチック材料から成り、上下方向に延在すると共に上端が本体フレーム１０に連結されるように型成形によって本体フレーム１０と一体に成形されている。このため、各予備押さえ片５０の下端側は上端側に対して前後方向に弾性変形可能である。
また、各予備押さえ片５０は、端側クリップ部４０よりも本体フレーム１０の長手方向の中央側に位置している。各予備押さえ片５０と、対応する端側クリップ部４０との距離は、５〜５０ｍｍ程度が好ましい。
【００３４】
図１〜４に示すように、フック部２０と中央クリップ部３０との間には腰ゴム部押さえ台６０が設けられている。腰ゴム部押さえ台６０はプラスチック材料から成り、本体フレーム１０等と共に型成形によって一体に成形されている。中央クリップ部３０の押さえ片３２の上端が支持片３１の他端に腰ゴム部押さえ台６０を介して連結されている。腰ゴム部押さえ台６０の上面には円弧状に窪んだ凹部６１が形成されている。
また、フック部２０の下端側にはポップ押さえ片２１が一体に成形され、ポップ押さえ片２１の先端は前記凹部６１の上方に配置されている。ポップ押さえ片２１もプラスチック材料から成り、上下方向に弾性変形可能である。
【００３５】
また、本体フレーム１０の長手方向の一端にはポップ取付け溝１２が形成されている。ポップ取付け溝１２は本体フレーム１０の長手方向の中央側に向かって窪んだ溝である。ポップ取付け溝１２内における上下方向の下方に位置する面には突起１２ａが形成され、上下方向の上方に位置する面には前記突起１２ａの上方に位置するように円弧状に窪んだ凹部１２ｂが形成されている。
【００３６】
このように形成されたハンガーに下半身用衣料としてトランクス１を図１５及び１６に示すように吊持する場合について説明する。
先ず、図２１に示すように、トランクス１の幅方向中央部における背面側の腰ゴム部２を中央クリップ部３０の支持片３１と押さえ片３２との間に挟持すると共に、トランクス１の幅方向両端側の背面側及び前面側の腰ゴム部２を各端側クリップ部４０の支持片４１と押さえ片４２との間に挟持する。
この時、各押さえ片３２，４２の下端側が対応する支持片３１，４１から離れるように各押さえ片３２，４２を弾性変形させながら、押さえ片３２と支持片３１との間に腰ゴム部２を挿入すると共に押さえ片４２と支持片４１との間に腰ゴム部２を挿入することにより、各押さえ片３２，４２や各支持片３１，４１の弾性変形に対する復元力で腰ゴム部２が本体フレーム１０の長手方向と略直交する方向に挟持される。つまり、腰ゴム部２が本体フレーム１０の短手方向に挟持される。
尚、中央クリップ部３０の支持片３１と押さえ片３２との間にトランクス１の幅方向中央部における背面側及び前面側の腰ゴム部２を挟持することも可能である。
【００３７】
続いて、図２０に示すように、各端側クリップ部４０よりも外側に位置する腰ゴム部２を本体フレーム１０の長手方向の中央側に向かって折り返し、折り返した腰ゴム部２を、中央クリップ部３０と端側クリップ部４０との間で保持されている腰ゴム部２と、各予備押さえ片５０との間に把持する。
この時、各予備押さえ片５０の下端側を後方に向かって弾性変形させながら、各予備押さえ片５０と、中央クリップ部３０と端側クリップ部４０との間で保持されている腰ゴム部２との間に折り返した腰ゴム部２を挿入することにより、各予備押さえ片５０の弾性変形に対する復元力で腰ゴム部２が本体フレーム１０の長手方向と略直交する方向に挟持される。
【００３８】
なお、本実施形態では、トランクス１の幅方向両端側の腰ゴム部２が各端側クリップ部４０よりも外側に飛び出すものを例に挙げて説明したが、トランクス１の幅方向両端側の腰ゴム部２が各端側クリップ部４０よりも飛び出さない場合や、飛び出し量が小さい場合は、折り返した腰ゴム部２を各予備押さえ片５０で保持する必要はない。
【００３９】
また、商品説明等を表示するポップ（厚紙製、プラスチックフィルム製）を装着する場合は、図１７〜１９に示すように、ポップのある端をポップ押さえ片２１と凹部６１との間に挟み、また、ポップの他の端をポップ取付け溝１２内の突起１２ａと凹部１２ｂとの間に挟む。このように、ポップの端がポップ押さえ片２１や突起１２ａによって凹部６１，１２ｂ内に押されるので、ポップの抜け落ちが効果的に防止される。
【００４０】
また、本実施形態では、下半身用衣料としてトランクス１を吊持する例を説明したが、下半身用衣料として下半身用の水着や、スカートや、ズボン等を同様に吊持することが可能である。
【００４１】
このように、本実施形態によれば、各押さえ片３２，４２の一端側に対して他端側が本体フレーム１０の長手方向と略直交する方向（前後方向）に弾性変形可能であり、その弾性により下半身用衣料の腰ゴム部が本体フレーム１０の短手方向に挟持される。このため、支持片３１，４１及び押さえ片３２，４２の各対が本体フレーム１０の何れの位置に設けられても、挟持位置近傍の腰ゴム部やその近傍の下半身用衣料の生地が概して本体フレーム１０の長手方向に延在する状態となる。この状況は、吊持する下半身用衣料のサイズによらない。
なお、各押さえ片３２，４２の弾性変形する端側が対応する支持片３１，４１から離れるように支持片３１，４１及び／又は押さえ片３２，４２を弾性変形させながら、支持片３１，４１と前記押さえ片３２，４２との間に下半身用衣服の腰ゴム部を挿入することにより、支持片３１，４１及び押さえ片３２，４２の前記弾性変形に対する復元力で前記腰ゴム部を前記長手方向と略直交する方向に挟持し、これにより前記下半身用衣服の吊持を行っているとも言える。
【００４２】
例えば、本実施形態のように、支持片４１及び押さえ片４２の各対が本体フレーム１０の長手方向の両端部近傍にそれぞれ設けられており、吊持される下半身用衣料のサイズが小さい場合は、該衣料の幅方向両端近傍の腰ゴム部を支持片４１及び押さえ片４２の各対により挟持する。また、吊持される下半身用衣料のサイズが大きい場合は、該衣料の幅方向の中央と両端との間の腰ゴム部を支持片４１及び押さえ片４２の各対により挟持すると共に、該衣料の幅方向の両端側を本体フレーム１０の長手方向の中央側に向かって折り返し、折り返した該衣料の両端側の腰ゴム部を各予備押さえ片５０によって支持することができる。各予備押さえ片５０ではなく、他の部材を設けることも可能であり、支持片４１及び押さえ片４２の各対を用いて折り返した該衣料の両端側の腰ゴム部を支持することも可能である。
【００４３】
つまり、腰ゴム部が２対の挟持部（支持片４１及び押さえ片４２の対）の間の腰ゴム部の長さを調整しながら、支持片４１及び押さえ片４２の各対により腰ゴム部を挟持することにより、様々なサイズの下半身用衣料をその幅方向中央部で腰ゴム部が弛まないように吊持することができる。
尚、本実施形態では本体フレーム１０の中央部に中央クリップ部３０を設け、中央クリップ部３０でも腰ゴム部を挟持しているので、下半身用衣料の幅方向中央部の腰ゴム部がより確実に弛まないように支持することができるが、本実施形態において中央クリップ部３０を設けない場合でも、上記のように支持片４１及び押さえ片４２の各対により、様々なサイズの下半身用衣料をその幅方向中央部で腰ゴム部が弛まないように吊持することができる。
【００４４】
さらに、支持片３１，４１及び押さえ片３２，４２によって挟持される腰ゴム部やその近傍の下半身用衣料の生地が概して本体フレーム１０の長手方向に延在するので、挟持する下半身用衣料が本体フレーム１０の短手方向に嵩張らない。逆に、本体フレーム１０の長手方向の両端に該長手方向に対向する支持片及び押さえ片の対が設けられる場合、挟持位置近傍の腰ゴム部やその近傍の下半身用衣料の生地が概して本体フレーム１０の長手方向と直交する方向に延在することになり、挟持する下半身用衣料が本体フレーム１０の短手方向に嵩張る。
【００４５】
一方、本実施形態のように、支持片３１及び押さえ片３２の対が本体フレーム１０の長手方向の中央部に設けられている場合は、何れのサイズの下半身用衣料を吊持する場合であっても、その幅方向中央部の腰ゴム部を直接挟持することができ、様々なサイズの下半身用衣料をその幅方向中央部で腰ゴム部が弛まないように吊持することができる。
本実施形態では、本体フレーム１０の長手方向の両端側にそれぞれ支持片４１及び押さえ片４２の対が設けられているが、本体フレーム１０の長手方向の両端側に支持片４１及び押さえ片４２を設けずに、下半身用衣料の幅方向両端側の腰ゴム部を保持する他の機構を設けたとしても、支持片３１及び押さえ片３２の対が本体フレーム１０の長手方向の中央部に設けることによる上記効果は変わらない。
【００４６】
また、下半身用衣料の幅方向中央の腰ゴム部の弛みを防ぐために、腰ゴム部に加える幅方向の張力を低減又は無くすことができるので、腰ゴム部のゴムの伸びを防止することができる。
【００４７】
本実施形態では、本体フレーム１０が長手方向の両端部よりも中央部が下方に位置するように形成され、中央クリップ部３０の支持片３１は下端側が本体フレーム１０に連結され、押さえ片３２は上端側が支持片３１の上端側に連結されている。
このため、下半身用衣料の腰ゴム部を中央クリップ部３０によって挟持すると、下半身用衣料によって本体フレーム１０の中央側が確実に覆われ、本体フレーム１０の中央側が見えない分だけ下半身用衣料を見栄え良く吊持することができる。
【００４８】
本実施形態では、本体フレーム１０が長手方向の両端部よりも中央部が下方に位置するように形成され、各端側クリップ部４０の支持片４１は、その上端側が本体フレーム１０に連結され、各端側クリップ部４０の押さえ片４２は、その上端側が本体フレーム１０に連結されている。
このため、下半身用衣料の腰ゴム部を各端側クリップ部４０によって挟持する際に、腰ゴム部を本体フレーム１０の下側から取付けることができ、腰ゴム部の各端側クリップ部４０への取付けを容易に行うことができる。このように取付けを容易にしながら、本体フレーム１０が長手方向の両端部よりも中央部が下方に位置するように形成されているので、下半身用衣料によって本体フレーム１０の中央側が覆われ、本体フレーム１０の中央側が見えない分だけ下半身用衣料を見栄え良く吊持することができる。
【００４９】
本実施形態では、フック部２０は中央クリップ部３０を介して本体フレーム１０に連結されている。このため、フック部２０を本体フレーム１０に連結するために他のフレームや部材を設ける必要が無く、ハンガーの構成の簡素化、軽量化、製造に使用する材料の低減、及び製造コストの低減等を図ることが可能である。
【００５０】
本実施形態では、中央クリップ部３０の押さえ片３２が支持片３１よりも後方に位置し、各端側クリップ部４０の押さえ片４２が支持片４１よりも前方に位置する。つまり、中央クリップ部３０と端側クリップ部４０とで押さえ片と支持片の前後方向の位置関係が逆になっている。このため、中央クリップ部３０と端側クリップ部とで押さえ片と支持片の前後方向の位置関係が同じである場合と比較し、下半身用衣料と本体フレーム１０とが接触し易くなり、本体フレーム１０に下半身用衣料が接触する分だけ下半身用衣料の本体フレーム１０に対する位置ずれが生じ難くなる。
【００５１】
本実施形態では、中央クリップ部３０は、支持片３１の下端側が本体フレーム４０に連結されると共に、押さえ片３２の上端側が支持片３１の上端側に連結されており、中央クリップ部３０の押さえ片３１の下端は本体フレーム１０の中央部の下端よりも上方に位置する。
押さえ片３２よりも本体フレーム１０の方がその長手方向の寸法が大きいので、押さえ片３１と支持片３２との間に腰ゴム部を挿入する際に、先ず、腰ゴム部を本体フレーム１０に押し当てる方が作業をし易い。ここで、押さえ片３１の下端は本体フレーム１０の中央部の下端よりも上方に位置するので、腰ゴム部を本体フレーム１０に押し当て易くなっており、腰ゴム部の挿入作業をより容易に行うことができる。
【００５２】
本実施形態では、中央クリップ部３０の支持片３１の下端に前方に向かって傾斜する傾斜面３１ｃが形成されており、中央クリップ部３０の押さえ片３１が支持片３２よりも後方に位置するので、押さえ片３２と支持片３１との間に腰ゴム部を挿入する際に、その挿入作業をスムーズに行うことができる。
【００５３】
本実施形態では、端側クリップ部４０の支持片４１の下端に後方に向かって傾斜する傾斜面が形成されており、端側クリップ部４０の押さえ片４２が支持片４１よりも前方に位置するので、押さえ片４２と支持片４１との間に腰ゴム部を挿入する際に、その挿入作業をスムーズに行うことができる。
【００５４】
本実施形態では、本体フレーム１０の長手方向の中央部における背面に凹部１１が形成され、該凹部１１の底面は中央クリップ部３０の支持片３１の背面よりも前方に位置し、該凹部１１には中央クリップ部３０の支持片３１の傾斜面３１ｃと滑らかに繋がる傾斜面１１ｂが設けられている。
このため、押さえ片３２と支持片３１との間に腰ゴム部を挿入する前の段階で、凹部１１がある分だけ押さえ片３２に対して腰ゴム部をより前方に位置させることができ、押さえ片３２と支持片３１との間に腰ゴム部を挿入する作業をよりスムーズに行うことができる。
【００５５】
本実施形態では、本体フレーム１０の両端側にそれぞれ設けられた一対の予備押さえ片５０をさらに備え、各予備押さえ片５０は、上下方向に延在すると共に上下方向の一端側が本体フレーム１０に連結されるように本体フレーム１０と一体に型成形されると共に、他端側が一端側に対して本体フレーム１０の長手方向と略直交する方向（前後方向）に弾性変形可能であり、各予備押さえ片５０は端側クリップ部４０よりも本体フレーム１０の長手方向の中央側に位置している。
このため、吊持される下半身用衣料のサイズが大きい場合は、該衣料の幅方向の中央と両端との間の腰ゴム部を支持片４１及び押さえ片４２の各対により挟持すると共に、該衣料の幅方向の両端側を本体フレーム１０の長手方向の中央側に向かって折り返し、折り返した該衣料の両端側の腰ゴム部を各予備押さえ片５０によって支持することができる。このため、吊持する下半身用衣料の見栄えをより向上することができる。
【００５６】
また、腰ゴム部の端部を折り返して各予備押さえ片５０によって支持することができるので、ハンガー自体のサイズダウンを図ることも可能である。ハンガー自体のサイズダウンは、プラスチックの型成形が容易になるので、製造コストの低減に与える影響は大きい。
【００５７】
本実施形態では、各予備押さえ片５０と、対応する端側クリップ部４０との距離は５〜５０ｍｍである。各予備押さえ片５０は、一対の端側クリップ部４０の間に張られた腰ゴム部と各予備押さえ片５０との間に、折り返した腰ゴム部を挟持するものであるので、対応する端側クリップ部４０との距離が小さく、具体的に５〜５０ｍｍであることにより、一対の端側クリップ部４０の間に張られた腰ゴム部と各予備押さえ片５０との間に確実に折り返した腰ゴム部を挟持することができる。
【００５８】
本実施形態では、支持片３１，４１は押さえ片３２，４２よりも本体フレーム１０の長手方向の寸法が大きく、支持片３１，４１にはそれを前後方向に挿通する孔３１ｂ、４１ｂが形成され、無負荷状態で押さえ片３２，４２の弾性変形する側の端の一部が支持片３１，４１の孔３１ｂ、４１ｂの中に配置されている。このため、支持片３１，４１と押さえ片３２，４２の各対による把持力を長期に亘って維持することができる。
尚、無負荷状態で押さえ片３２，４２の弾性変形する側の端の一部が支持片３１，４１の孔３１ｂ、４１ｂの中に配置されていなくても、押さえ片３２，４２の弾性変形する側の端が支持片３１，４１に近い位置に配置されていれば、同様の効果を奏する。
【００５９】
尚、本実施形態では、中央クリップ部３０の支持片３１の下端側が本体フレーム１０に連結されたものを示したが、中央クリップ部３０の支持片３１の上端側が本体フレーム１０に連結されるように構成することも可能である。この場合、中央クリップ部３０の押さえ片３２の上端側を本体フレーム１０と連結するように一体成型することも可能である。
【００６０】
また、本実施形態では、端側クリップ部４０の支持片４１及び押さえ片４２の上端側が本体フレーム１０に連結されたものを示したが、端側クリップ部４０の支持片４１の下端側が本体フレーム１０に連結されると共に、端側クリップ部４０の押さえ片４２の上端側が支持片４１の上端側に連結されるように、支持片４１及び押さえ片４２を本体フレーム１０と共に一体に型成形することも可能である。
【００６１】
また、本実施形態では、フック部２０が図３の左側に開口するものを示したが、フック部２０が図３の右側に開口するように形成されたとしても、上記と同様の作用効果を奏する。
【００６２】
なお、本考案に係る物品は、フック部と、フック部の下端に設けられた中央部クリップと、中央部クリップの下端に接続されたハンガー本体と、ハンガー本体の長手方向の両端にそれぞれ設けられた端部クリップとを有し、主に下着、水着、スカート、ズボン等を吊持する際に使用される衣料用ハンガーである。中央部クリップ及び端部クリップで下着、水着、スカート、ズボン等の下半身用衣料の腰ゴム部を保持した際に、保持した下半身用衣料によってハンガー本体の長手方向の中央側を覆うことができる構造となっている。この際、使用状態を示す背面図に示すように、腰ゴム部が長い場合は、端部クリップで保持した腰ゴム部の端部側を折返し、折返した腰ゴム部の端部側を再度端部クリップの折返し端保持部で保持することができる構造となっている。
【００６３】
尚、本考案は上記実施形態の構成のみに限定されるものではなく、本考案の要旨を逸脱しない範囲内において適宜変更や改良を加えることができ、このように変更や改良を加えた実施形態も本考案の権利範囲に含まれるものとする。
【符号の説明】
【００６４】
１  トランクス
２  腰ゴム部
１０  本体フレーム
１１  凹部
１１ｂ  傾斜面
１２  ポップ取付け溝
２０  フック部
２１  ポップ押さえ片
３０  中央クリップ部
３１  支持片
３１ｂ  孔
３１ｃ  傾斜面
３２  押さえ片
４０  端側クリップ部
４１  支持片
４１ｂ  孔
４１ｃ  傾斜面
４２  押さえ片
５０  予備押さえ片
６０  腰ゴム部押さえ台
６１  凹部
【図１】
0003190221.tif 000003
【図２】
0003190221.tif 000004
【図３】
0003190221.tif 000005
【図４】
0003190221.tif 000006
【図５】
0003190221.tif 000007
【図６】
0003190221.tif 000008
【図７】
0003190221.tif 000009
【図８】
0003190221.tif 000010
【図９】
0003190221.tif 000011
【図１０】
0003190221.tif 000012
【図１１】
0003190221.tif 000013
【図１２】
0003190221.tif 000014
【図１３】
0003190221.tif 000015
【図１４】
0003190221.tif 000016
【図１５】
0003190221.tif 000017
【図１６】
0003190221.tif 000018
【図１７】
0003190221.tif 000019
【図１８】
0003190221.tif 000020
【図１９】
0003190221.tif 000021
【図２０】
0003190221.tif 000022
【図２１】
0003190221.tif 000023
【手続補正書】
【提出日】平成26年2月19日(2014.2.19)
【手続補正１】
【補正対象書類名】実用新案登録請求の範囲
【補正対象項目名】請求項１７
【補正方法】変更
【補正の内容】
【請求項１７】
前記端側クリップ部において、前記支持片は前記押さえ片よりも前記長手方向の寸法が大きく、前記支持片にはそれを前後方向に挿通する孔が形成され、無負荷状態で前記押さえ片の他端の一部が前記支持片の前記孔の中に配置されている請求項３、４及び６の何れかに記載の下半身用衣料のハンガー。